(57)【要約】【課題】  商品支持アームに対して突き上げる力が加わった際に、商品支持アームが支柱に対して位置ズレを起こさず、また、商品支持アームと支柱との接触による衝撃によって商品支持アームが支柱から外れない商品陳列具を提供する。【解決手段】  被陳列商品が掛けられるアーム部材と該アーム部材を支柱に対して着脱自在に装着する掛止部材とを備えた商品支持アームにおいて、掛止部材を支柱の側面に対して磁力によって密着する磁着部と、磁着部から支柱の前後方向の幅よりも広い間隔を空けて支柱を挟むように伸びる前・後接触部と、前・後接触部から互いに向かい合って突出した一対の掛止部とから構成し、掛止部材の前接触部の下辺と後接触部の上辺が支柱に接触した状態において支柱に対して両掛止部が掛かっていると共に、掛止部材の前接触部の上辺と後接触部の下辺が支柱に接触した状態において支柱に対して両掛止部が掛かっているようにする。【選択図】  図４
2008188122.tif 000002
【特許請求の範囲】
【請求項１】
被陳列商品が掛けられるアーム部材と該アーム部材を支柱に対して着脱自在に装着する掛止部材とを備えた商品支持アームであって、掛止部材は支柱の側面に対して磁力によって密着する磁着部と、磁着部から支柱の前後方向の幅よりも広い間隔を空けて支柱を挟むように伸びる前・後接触部と、前・後接触部から互いに向かい合って突出して支柱が通ることができる隙間を形成する一対の掛止部とを備えており、掛止部材の前接触部の下辺と後接触部の上辺を支柱に接触させた状態において支柱に対して両掛止部が掛かっていると共に、掛止部材の前接触部の上辺と後接触部の下辺を支柱に接触させた状態において支柱に対して両掛止部が掛かっていることを特徴とする商品支持アーム。
【請求項２】
掛止部材の前接触部の下辺と後接触部の上辺を支柱に接触させた状態において前接触部の上辺と後接触部の下辺が支柱から離れて位置付けられる請求項１記載の商品支持アーム。
【請求項３】
請求項１又は請求項２に記載された商品支持アームが支柱に装着された商品陳列具。
【発明の詳細な説明】
【技術分野】
【０００１】
本発明は、商品支持アーム及び該商品支持アームを装着した商品陳列具に関するものである。
【背景技術】
【０００２】
周知の通り、衣料品などの販売店舗においてブラジャーやショーツなどの被陳列商品を陳列するために用いられている商品陳列具には、被陳列商品の大きさに合わせて支柱に止められた商品支持アームを昇降できるものがあり、当該商品支持アームの昇降作業は、支柱に対するボルトによる締め付けを調節することによって行っていた。
【０００３】
ところが、前記商品支持アームにおいては、昇降作業を行う際に、ボルトを緩めると商品支持アームが支柱に対してフリーになって降下してしまうため、作業者は必ず一方の手で商品支持アームを支えながら他方の手でボルトを緩めなければならず、商品陳列具に被陳列商品を陳列する際には、先ず、商品陳列具の支柱に対して商品支持アームを仮止めし、次に、商品支持アームに被陳列商品を掛けた後、再度商品支持アームに掛けられた被陳列商品の寸法に合わせて商品支持アームの支柱に対する位置を調節し直す必要があり、被陳列商品を陳列する作業と商品支持アームを昇降させる作業を同時に行うことができなかった。
【０００４】
このため、被陳列商品を陳列する作業を行いながら、被陳列商品の寸法に合わせて商品支持アームの昇降させることができる商品陳列具が多数開発されている。
【０００５】
例えば、後出特許文献１には、支柱の中間部に、商品を吊支するための側方を向く支持アームを着脱自在に装着した商品陳列装置において、前記支持アームの基端部を、前記支柱に係合する係合部材における前記支柱の前面に当接する下部当接片の前面より突設し、前記係合部材を、前記下部当接片の一方の側端より後方に延出する側片と、この側片の後端に連設され、かつ前記下部当接片より上方において、前記支柱の後面に当接する上部当接片とを備える商品陳列装置が開示されている。
【特許文献１】特開２００６−１８０８９６号公報
【発明の開示】
【発明が解決しようとする課題】
【０００６】
しかし、特許文献１記載の商品陳列装置においては、図１０に示すように、支持アーム１００に対して突き上げる力が加わると、支持アーム１００は係合部材１０１の下部当接片１０２の上辺１０３を軸として上部当接片１０４の下辺１０５が支柱１０６に接触するまで回転するが、この時、支柱１０６に対して係合部材１０１がフリーになるため、支持アーム１００が支柱１０６に対して下方へと位置ズレを起こし、また、上部当接片１０４の下辺１０５が支柱１０６に接触した際に、下部当接片１０２と上部当接片１０４との間の隙間（Ｄ１）が支柱の幅（Ｄ２）と一致した状態（図１０中、点線にて示す）となるため、接触による衝撃によって係合部材１０１が支柱１０６から外れてしまうという問題点があった。
【０００７】
そこで、本発明は、商品支持アームに対して突き上げる力が加わった際に、商品支持アームが支柱に対してフリーになっても、商品支持アームが支柱に対して位置ズレを起こさず、また、商品支持アームと支柱との接触による衝撃によって商品支持アームが支柱から外れない商品陳列具を提供することを技術的課題として、その具現化をはかるべく、試作・実験を繰り返した結果、被陳列商品が掛けられるアーム部材と該アーム部材を支柱に対して着脱自在に装着する掛止部材とを備えた商品支持アームにおいて、掛止部材を支柱の側面に対して磁力によって密着する磁着部と、磁着部から支柱の前後方向の幅よりも広い間隔を空けて支柱を挟むように伸びる前・後接触部と、前・後接触部から互いに向かい合って突出して支柱が通ることができる隙間を形成する一対の掛止部とから構成し、掛止部材の前接触部の下辺と後接触部の上辺が支柱に接触した状態において支柱に対して両掛止部が掛かっていると共に、掛止部材の前接触部の上辺と後接触部の下辺が支柱に接触した状態において支柱に対して両掛止部が掛かっているようにすれば、商品支持アームに対して突き上げる力が加わっても、支柱に対して商品支持アームが位置ズレを起こさないという刮目すべき知見を得、前記技術的課題を達成したものである。
【課題を解決するための手段】
【０００８】
前記技術的課題は、次の通りの本発明によって解決できる。
【０００９】
即ち、本発明に係る商品支持アームは、被陳列商品が掛けられるアーム部材と該アーム部材を支柱に対して着脱自在に装着する掛止部材とを備えた商品支持アームであって、掛止部材は支柱の側面に対して磁力によって密着する磁着部と、磁着部から支柱の前後方向の幅よりも広い間隔を空けて支柱を挟むように伸びる前・後接触部と、前・後接触部から互いに向かい合って突出して支柱が通ることができる隙間を形成する一対の掛止部とを備えており、掛止部材の前接触部の下辺と後接触部の上辺を支柱に接触させた状態において支柱に対して両掛止部が掛かっていると共に、掛止部材の前接触部の上辺と後接触部の下辺を支柱に接触させた状態において支柱に対して両掛止部が掛かっているものである。
【００１０】
また、本発明は、前記商品支持アームにおいて、掛止部材の前接触部の下辺と後接触部の上辺を支柱に接触させた状態において前接触部の上辺と後接触部の下辺が支柱から離れて位置付けられるものである。
【００１１】
また、本発明に係る商品陳列具は、前記いずれかの商品支持アームを支柱に装着したものである。
【発明の効果】
【００１２】
本発明によれば、掛止部材に支柱の側面に磁力によって密着する磁着部を設け、かつ、掛止部材の前接触部の下辺と後接触部の上辺を支柱に接触させた状態において支柱に対して両掛止部が掛かると共に、掛止部材の前接触部の上辺と後接触部の下辺を支柱に接触させた状態において支柱に対して両掛止部が掛かるように構成したので、商品支持アームに対して下から突き上げる力が加わることによって支柱に対して商品支持アームがフリーになった場合にも、磁着部と支柱とが磁力によって互いに牽引し合って商品支持アームが支柱に対して位置ズレを起こすことがない。また、掛止部材の前・後接触部が支柱に接触した際に、支柱を磁着部から離すような衝撃が生じたとしても、磁着部から離れようとする支柱は両掛止部に接触するため、磁着部から離れることなく、常に一定の磁力によって牽引された状態が維持される。
【００１３】
従って、本発明の産業上利用性は非常に高いといえる。
【発明を実施するための最良の形態】
【００１４】
以下、本発明の実施の形態を図面に基づき説明する。
【００１５】
実施の形態１．
【００１６】
図１は本実施の形態に係る商品支持アームを示した側面図である。図２は図１に示す商品支持アームの掛止部材を支柱に装着した状態を示した平面図である。図３に図２のＡ−Ａ断面図である。図４は掛止部材を示した斜視図である。図５は商品陳列具の支柱に装着された商品支持アームの支柱に対する動作を説明する側面図であり、図５の（ｂ）及び図５の（ｃ）において掛止部の先端を二点鎖線にて示している。図６は図１に示す商品支持アームが装着された商品陳列具を示した側面図である。これらの図において、１は、被陳列商品が掛けられるアーム部材２と、アーム部材２を商品陳列具の支柱に装着する掛止部材３とからなる商品支持アームである。
【００１７】
アーム部材２は、線材を階段状に折り曲げて形成されており、Ｌ字状の元端部４から伸びる先端部５は先端に向かうに従って下方へと湾曲した形状になっていると共に、先端部５の上面には滑り止めの突起６が等間隔に並べて設けられている。なお、アーム部材２の形状は、被陳列商品を掛けることができる形状であれば、前記形状に限定されない。
【００１８】
掛止部材３は、図２乃至図４に示すように、商品陳列具における支柱７の側面８に対して磁力によって密着する磁着部９と、磁着部９から支柱７の前後方向の幅よりも広い間隔を空けて支柱７を挟むように伸びる前・後接触部１０，１１と、前・後接触部１０，１１から互いに向かい合って突出する一対の掛止部１２とから構成されており、少なくとも磁着部９は磁性体によって形成されている。
【００１９】
詳述すると、磁着部９は、図４に示すように、支柱７に対して水平に位置付けられる上・下辺１３，１４と支柱７に対して前後に位置付けられる斜辺１５とを四辺とした平行四辺形状の基板１６における支柱７と接触する側の面に永久磁石１７を固定するための受け材１８が固着された構造となっている。受け材１８は、基板１６の上・下辺１３，１４に沿うように位置付けられる突片１９を有する断面コ字状の部材であり、突片１９は、永久磁石１７の高さよりも高く形成されており、受け材１８の突片１９が支柱７と密着した状態となる。
【００２０】
前・後接触部１０，１１は、図２に示すように、磁着部９における基板１６の斜辺１５から支柱７の磁着部９が接触する側面８と反対側の側面２０まで伸びている。なお、前接触部１０には、アーム部材２の元端部４が固定されている。
【００２１】
一対の掛止部１２は、図３に示すように、前・後接触部１０，１１における支柱７の磁着部９が接触する側面８と反対側の側面２０まで達した先端から互いに同じ長さ突出している。そして、一対の掛止部１２に挟まれて形成された隙間２１は、前・後接触部１０，１１に沿うように伸びている。
【００２２】
次に、商品支持アーム１の支柱７に対する装着方法を説明する。
【００２３】
支柱７に対して商品支持アーム１を装着する際には、図５の（ａ）に示すように、先ず、掛止部材３における一対の掛止部１２に挟まれて形成された隙間２１に支柱７を通し、掛止部材３の中空へ支柱７を嵌め込んで側面８に磁着面９を密着させる。次に、商品支持アーム１を手放すことにより、図５の（ｂ）に示すように、アーム部材２の重さによって商品支持アーム１は磁着面９に固定された永久磁石１７が最も支柱７に近づく位置を支点として前方へと回転し、前接触部１０の下辺２２と後接触部１１の上辺２３が支柱７に接触することによって回転が規制されて支柱７に対して固定される。この時、前接触部１０から突出した掛止部１２の下部２４及び後接触部１１から突出した掛止部１２の上部２５がそれぞれ支柱７に掛かった状態となっており、両接触部１０，１１の支柱７に対する衝突による衝撃によって商品支持アーム１が支柱７から外れることが阻止される。
【００２４】
次に、支柱７に装着された商品支持アーム１に対して突き上げる力が加わった際の動作を説明する。
【００２５】
商品支持アーム１に対して突き上げる力が加わると、図５の（ｃ）に示すように、先ず、商品支持アーム１は磁着部９に固定された永久磁石１７が最も支柱７に近づく位置を支点として後方へ回転する。この時、商品支持アーム１の前・後接触部１０，１１はいずれも支柱７に接触していない状態となって商品支持アーム１が支柱７に対してフリーになるが、永久磁石に１７よって磁着部９と支柱７とが互いに牽引されるため、商品支持アーム１の自重による支柱７に対する下方への移動が阻止される。そして、前接触部１０の上辺２６と後接触部１１の下辺２７が支柱７に接触することによって後方への回転が規制される。この時、前接触部１０から突出した掛止部１２の上部２８及び後接触部１１から突出した掛止部１２の下部２９がそれぞれ支柱７に掛かった状態となっており、両接触部１０，１１の支柱７に対する衝突による衝撃によって商品支持アーム１が支柱７から外れることが阻止される。この後、商品支持アーム１は、自重によって前方へ回転し、前記と同様に支柱７に固定される。
【００２６】
本実施の形態に係る商品支持アーム１は、図６に示すように、商品陳列具３０の支柱７に対して複数取り付けることができる。
【００２７】
実施の形態２．
【００２８】
本実施の形態は、前記実施の形態１における掛止部材の変形例である。図７は本実施の形態に係る掛止部材の一変形例を示した斜視図である。図８は本実施の形態に係る掛止部材の他の変形例を示した斜視図である。図９は図８に示す掛止部材を支柱に装着した状態を示した側面図である。この図において、図１〜図６と同一符号は同一又は相当部分を示している。
【００２９】
変形例１：本変形例に係る掛止部材３は、図７に示すように、アーム部材２が固定された前接触部１０から突出した掛止部１２が上下二つに分かれて配置されており、前接触部１０の上部からは矩形状の掛止片３１が突出していると共に、下部からは円柱状の掛止片３２が突出している。また、後接触部１１から突出した掛止部１２も上下二つに分かれており、後接触部１０の上部からは円柱状の掛止片３３が突出していると共に、下部からは矩形状の掛止片３４が突出している。
【００３０】
本変形例においても、掛止部材の前接触部の下辺と後接触部の上辺を支柱に接触させた状態において支柱に対して両掛止部の円柱状の掛止片が掛かると共に、掛止部材の前接触部の上辺と後接触部の下辺を支柱に接触させた状態において支柱に対して両掛止部の矩形状の掛止片が掛かるため、前記実施の形態１と同様の作用効果を得ることができる。
【００３１】
変形例２：本変形例に係る掛止部材３は、図８に示すように、磁着部９が磁石からなる矩形状の基板１６によって形成されており、磁着部９の支柱７の側面８と接触しない側の面にはアーム部材２の元端部４が固定されている。そして、前・後接触部１０，１１がそれぞれ上下に分かれて配置された二つの前・後接触片３５，３６によって構成されており、上下に配置された前接触片３５の先端部から突出した円柱状の掛止片３７によって前接触部１０から突出する掛止部１２が構成されており、上下に配置された後接触片３６の先端部から円柱状の掛止片３８によって後接触部１１から突出する掛止部１２が構成されている。
【００３２】
本変形例においても、図９に示すように、掛止部材３における前接触部１０の下側に配置された前接触片３５の下辺２２と後接触部１１の上側に配置された後接触片３６の上辺２３を支柱７に接触させた状態において支柱７に対して両接触片３５，３６から突出した掛止片３７，３８が掛かると共に、掛止部材３における前接触部１０の上側に配置された前接触片３５の上辺２６と後接触部１１の下側に配置された後接触片３６の下辺２７を支柱７に接触させた状態において支柱７に対して両接触片３５，３６から突出した掛止片３７，３８が掛かるため、前記実施の形態１と同様の作用効果を得ることができる。
【００３３】
なお、前記各実施の形態においては、商品支持アームの磁着部に対して磁力を発生させる磁石を配置したが、磁着部を磁性体によって形成し、支柱に磁力を発生させる磁石を配置してもよい。
【００３４】
また、前記各実施の形態においては、一つのアーム部材に対して一つの掛止部材が設けられた商品支持アームとなっているが、複数のアーム部材に対して複数の掛止部材が設けられた商品支持アームであってもよい。具体的には、実施の形態１に係る商品支持アームを二つ用意し、二つの商品支持アームを連結部材によって連結したものなどがある。
【図面の簡単な説明】
【００３５】
【図１】実施の形態１に係る商品支持アームを示した側面図である。
【図２】図１に示す商品支持アームの掛止部材を支柱に装着した状態を示した平面図である。
【図３】図２のＡ−Ａ断面図である。
【図４】掛止部材を示した斜視図である。
【図５】商品陳列具の支柱に装着された商品支持アームの支柱に対する動作を説明する側面図である。
【図６】図１に示す商品支持アームが装着された商品陳列具を示した側面図である。
【図７】実施の形態２に係る掛止部材の一変形例を示した斜視図である。
【図８】実施の形態２に係る掛止部材の他の変形例を示した斜視図である。
【図９】図８に示す掛止部材を支柱に装着した状態を示した側面図である。
【図１０】特許文献１に係る商品陳列装置の動作を示した説明図である。
【符号の説明】
【００３６】
１  商品支持アーム
２  アーム部材
３  掛止部材
４  元端部
５  先端部
６  突起
７  支柱
８，２０  側面
９  磁着部
１０  前接触部
１１  後接触部
１２  掛止部
１３、２３，２６  上辺
１４，２２，２７  下辺
１５  斜辺
１６  基板
１７  磁石
１８  受け材
１９  突片
２１  隙間
２４，２９  下部
２５，２８  上部
３０  商品陳列具
３１，３２，３３，３４  掛止片
【図１】
2008188122.tif 000003
【図２】
2008188122.tif 000004
【図３】
2008188122.tif 000005
【図４】
2008188122.tif 000006
【図５】
2008188122.tif 000007
【図６】
2008188122.tif 000008
【図７】
2008188122.tif 000009
【図８】
2008188122.tif 000010
【図９】
2008188122.tif 000011
【図１０】
2008188122.tif 000012